(57)【特許請求の範囲】
【請求項１】
底鋼板を有する合成床版のコンクリート打設時に、底鋼板を可聴域の打音または振動子で加振することにより発生させた可聴域の音である検査音を用いて充填性を検査する際に、
加振位置の情報を前記検査音と同じ可聴域の音声で同じ媒体に記録することを特徴とする、底鋼板を有する合成床版のコンクリート打設時の充填性検査方法。
【請求項２】
前記加振位置を特定するための底鋼板上の位置を示す情報をプロジェクターにより底鋼板に映し出すことを特徴とする請求項１に記載の底鋼板を有する合成床版のコンクリート打設時の充填性検査方法。
【請求項３】
前記加振位置の情報が格子の形状と番号であり、該格子の外枠や部分枠を合成床版のパネル割に合致させることを特徴とする請求項２に記載の底鋼板を有する合成床版のコンクリート打設時の充填性検査方法。
【請求項４】
請求項１乃至３のいずれかに記載の底鋼板を有する合成床版のコンクリート打設時の充填性検査方法により、コンクリートが固まる前に同じ媒体に記録した検査音と加振位置の情報の記録音を得て、
該記録音の情報により判明したコンクリート未充填箇所に再度バイブレーターを掛けて未充填を解消すると共に、バイブレーター再施工後の検査についても、加振位置の情報と検査音を同じ媒体に記録することを特徴とするコンクリート打設方法。
【請求項５】
前記検査音と加振位置の情報の記録音を、検査者と、打設を指示している管理者が同時に聞けるようにしたことを特徴とする請求項４に記載のコンクリート打設方法。
【発明の詳細な説明】
【技術分野】
【０００１】
本発明は、底鋼板を有する合成床版のコンクリート打設時の充填性検査方法及びコンクリート打設方法に係り、特に、底鋼板を有する合成床版の底鋼板面にコンクリートが充填できているか否かをコンクリート打設中に検査して未充填箇所を解消することが可能な、底鋼板を有する合成床版のコンクリート打設時の充填性検査方法及び、この検査方法を利用したコンクリート打設方法に関する。
【背景技術】
【０００２】
道路橋等でコンクリートを打設する方法には、打設後に外される型枠を用いる方法と、型枠を用いることなく底鋼板をそのまま型枠代わりに用いる方法がある。このうち、前者の型枠をしてコンクリートを打設する方法は、型枠を外した時にその面にコンクリートが充填できているか否かが分かるが、後者の底鋼板を有する合成床版は、底鋼板が床版底面の型枠を兼用しているため、底鋼板面にコンクリートが充填できているか否かを目視することができない。
【０００３】
底鋼板を有する合成床版にコンクリートを打設しているときに未充填による空隙を検出する方法としては、打撃して聞き分ける「叩き点検」、打撃音を分析して音圧や減衰の差を検出する「打音法」、超音波を用いて空隙の有無による反射波の違いを検出する「超音波法」、底鋼板の弾性波の違いを検出する「弾性スイープ法」、音波による振動の差を検出する「横波振動法」、充填部と空隙部の温度差を検出する「赤外線サーモグラフ法」（特許文献１参照）等がある。
【先行技術文献】
【特許文献】
【０００４】
【特許文献１】特開２０１２−５７３６９号公報
【発明の概要】
【発明が解決しようとする課題】
【０００５】
打設時に充填と未充填を発見し、未充填箇所をバイブレーターで再振動して充填させるためには、迅速な判定ができ、かつ、検査記録（充填、検査、空隙発見、空隙場所の記録、バイブレーター、空隙解消データの記録等）を施工記録として残すために記録性が必要である。
【０００６】
前出の方法は、コンクリートが硬化した後の未充填部を検出する方法としては実用的であるが、コンクリート打設中に未充填部を発見し、再度バイブレーターを掛けて未充填を解消するためには、迅速性に欠ける。
【０００７】
即ち、「赤外線サーモグラフ法」は、特許文献１に記載されているが、底鋼板を加熱する必要と温度分布が安定するまで待つ必要があり、人の発熱の反射波も捕らえてしまうために遠隔操作が必要となり、分析にも時間が掛かるため、１区画の分析に時間を要する。また、特許文献１の検査方法にある、反射率の異なる物体を格子状に貼り付けて位置情報を得るためには、張り付け位置を計測装置を用いて計測しながら貼り付ける必要がある。
【０００８】
「超音波法」は、各種の非破壊検査に利用されているが、境界面で反射する性質から、底鋼板外面からその反対面の空隙の検出は困難である。
【０００９】
「弾性スイープ法」や「横波振動法」は、未充填部の検出が可能であり、ある程度迅速に検査ができるが、反射波の分析が必要である。
【００１０】
「叩き点検」は、未充填部の打音を人の耳で判断できるため、迅速な検出が可能であるが、記録性が無い。
【００１１】
「打音法」は、聴覚によっても十分に充填と未充填の判断することができるとともに波形の分析によってもその判断ができ、打撃音については記録が可能であるが、検査位置（打撃位置）については記録性が無い。
【００１２】
検査の位置情報を示す方法として、「赤外線サーモグラフ法」を用いる場合は、特許文献１に、反射率の異なる物体を格子状に貼り付けて映像で記録することが記載されているが、反射板を張り付ける位置は計測装置を用いて計測しながら貼り付ける必要があり、検査後は撤去する必要がある。
【００１３】
その他の計測方法での位置情報についても、計測装置を用いて予め底鋼板に格子を着色物で描くか、テープや糸を貼り付けて番号を記入しておけば位置を特定することができるが、検査前の準備や検査後の撤去が必要である。更に、検査の位置情報を検査結果（施工記録）に記録するためには手で入力する必要がある。又、再現する場合は、再度、計測装置を用いて底鋼板に格子を着色物で描くか、テープや糸を貼り付け、検査後に再び撤去する必要がある。
【００１４】
本発明は、前記従来の問題点を解消するべくなされたもので、合成床版の底鋼板面にコンクリートが充填できているか否かを迅速に判断でき、しかも、記録性があるコンクリート打設時の充填性検査方法を提供することを第一の課題とする。
【００１５】
本発明は、又、前記検査方法を利用して未充填解消することが可能な、コンクリート打設方法を提供することを第二の課題とする。
【課題を解決するための手段】
【００１６】
本発明は、底鋼板を有する合成床版のコンクリート打設時に、底鋼板を可聴域の打音または振動子で加振することにより発生させた可聴域の音である検査音を用いて充填性を検査する際に、加振位置の情報を前記検査音と同じ可聴域の音声で同じ媒体に記録することを特徴とする、底鋼板を有する合成床版のコンクリート打設時の充填性検査方法により、前記第一の課題を解決したものである。
【００１７】
ここで、前記加振位置を特定するための底鋼板上の位置を示す情報をプロジェクターにより底鋼板に映し出すことができる。
【００１８】
又、前記加振位置の情報を格子の形状と番号とし、該格子の外枠や部分枠を合成床版のパネル割に合致させることができる。
【００１９】
本発明は、又、前記の底鋼板を有する合成床版のコンクリート打設時の充填性検査方法により、コンクリートが固まる前に同じ媒体に記録した検査音と加振位置の情報の記録音を得て、該記録音の情報により判明したコンクリート未充填箇所に再度バイブレーターを掛けて未充填を解消すると共に、バイブレーター再施工後の検査についても、加振位置の情報と検査音を同じ媒体に記録することを特徴とするコンクリート打設方法により、前記第二の課題を解決したものである。
【００２０】
ここで、前記検査音と加振位置の情報の記録音を、検査者と、打設を指示している管理者が同時に聞けるようにすることができる。
【発明の効果】
【００２１】
「打音法」又は振動子で加振することにより可聴域の音を発生させる加振法は、聴覚によっても十分に充填と未充填の判断をすることができるため迅速な判断ができ、且つ記録性があり、分析によってより確実に未充填を判断できる。また、加振位置の情報を音声で記録する場合、検査音と同じ可聴域であるため、同じ媒体が使用できる。更に、記録と同時にコンクリート打設管理者にも聞かせることにより、位置と充填の有無を伝えることができる。
【００２２】
又、プロジェクターによって、例えば合成床版のパネル割に合わせた格子と番号を映し出して加振位置の情報とすれば、加振位置の情報を事前に計測器を用いて描いたり、テープや糸を貼り付ける準備および撤去が不要となる。
【図面の簡単な説明】
【００２３】
【図１】本発明の適用対象の一例である合成床版を用いた道路橋の例を示す斜視図
【図２】本発明の実施形態における充填性検査方法及びコンクリート打設の処理手順を示す流れ図
【図３】同じく合成床版の上下面に看板を設置した状態を示す、斜め下方から見た斜視図
【図４】同じくプロジェクターを用いて対象ブロックの計測ポイントを映し出した状態を示す、斜め下方から見た斜視図
【図５】同じくプロジェクターで映し出された格子の交点（Ａ）及び格子の升（Ｂ）の例を示す図
【図６】打撃・音声記録装置の他の例を示す図
【発明を実施するための形態】
【００２４】
以下図面を参照して、本発明の実施形態を詳細に説明する。
【００２５】
本発明の適用対象の一例である道路橋を図１に示す。この道路橋は、主桁１０と、該主桁１０に固定される底鋼板１４、該底鋼板１４の上に配置される主鉄筋１６、配力鉄筋１８、補強材２０、及び、前記底鋼板１４の上に充填されるコンクリート２２を含んで構成される合成床版１２を有している。
【００２６】
以下、図２を参照して、本発明の実施手順を説明する。
【００２７】
まず、図２のステップ１００で、図３に示す如く打設ブロックを決め、ブロック番号Ｂ１〜Ｂｎの境界に床版面１２Ａから確認できる看板（図では旗）２４と、床版下面１２Ｂから確認できる看板（図では旗）２６を設置する。この際、ブロック境界として、合成床版１２のパネル継手部１３とすると、床版下面１２Ｂから確認し易い。
【００２８】
次いで、ステップ１１０に進み、合成床版１２の打設管理者と床版下面１２Ｂの検査者が、対応ブロックの確認を行う。
【００２９】
次いで、ステップ１２０に進み、床版下面１２Ｂの検査者は、図４に示す如く、安定させるために例えば三脚３２に固定されたプロジェクター３０を用いて、図５（Ａ）（格子の交点の場合）又は図５（Ｂ）（格子の升の場合）に示す如く、対象ブロックの格子３４と計測ポイント（格子３４の交点又は升）の番号を映し出す。ここで、ブロック境界として合成床版１２のパネル継手部１３とすると、映像の格子３４の外線がパネル継手部１３と一致するため、調整が容易である。
【００３０】
次いで、ステップ１３０に進み、対象ブロックの半分程度のコンクリート打設とバイブレーター施工が終了したら、打設管理者は検査者に連絡し、検査者はステップ１４０で打音計測を開始する。検査開始は、コンクリート打設の半分より早くても遅くてもよいが、バイブレーター施工が終了していることが望ましい。
【００３１】
次いで、ステップ１５０に進み、検査者は、プロジェクター３０により映し出された格子３４の交点（図５（Ａ）の場合）、もしくは格子３４で囲われた升内の番号（図５（Ｂ）の場合）を読み上げて、例えば周囲の雑音を防ぐためのフードが装着されたマイク４２を通してオーディオレコーダ等の音声記録装置４０に打音位置を音声で記録し、次いで、その位置をトリガー付ハンマー５０で打撃して、打音を同じ音声記録装置４０に記録する。ここで、打音の聞き取りは周りの騒音を遮断するために、ヘッドホン４４を用いるのが望ましい。
【００３２】
次いで、ステップ１６０に進み、検査者が異音を聞いたか否かを判断する。異音を聞いたときはステップ１７０に進み、打設管理者に位置を連絡し、打設管理者は再度バイブレーターを掛ける。この際、打設管理者も同時に打音を聞けるようにしておけば、良否の判断の精度が向上し、施工も迅速となるため、望ましい。
【００３３】
打設管理者は、バイブレーターの再施工が完了すると、検査者に連絡し、検査者は、ステップ１５０に戻り、異音発生位置の再検査を行う。
【００３４】
ステップ１６０の判定結果が否であり、異音が発生しなくなったと判断されたときには、ステップ２００に進み、当該ブロックの検査が全て終了したかを判定する。判定結果が否である場合には、ステップ１５０に戻り、当該ブロック内の検査を繰り返す。
【００３５】
一方、ステップ２００の判定結果が良である場合には、ステップ２１０に進み、次のブロックへ移動して同じ処理を繰り返す。
【００３６】
以上のようにして、コンクリート２２の未充填箇所を解消することができ、且つ、最終的に全ての検査位置で適正にコンクリート２２が充填されていることが、同じ記録媒体に記録される。従って、全ての検査位置で、正常な検査音、加振位置の音声情報が記録され、工事が仕様通りに終了したことを施工記録として残すことができる。
【００３７】
なお、前記打音計測に用いる打音装置及び音声記録装置は、前記実施形態のトリガー付ハンマー５０と音声記録装置４０を用いる物に限定されず、図６に示す如く、例えばソレノイドコイル５２と打撃球５４による打撃装置と、マイク４２が一体になったものを用いることもできる。この場合であれば、検査位置に当ててスイッチを入れるだけでよいので片手で操作できる。
【００３８】
又、コンクリート２２の未充填箇所を解消する方法も、再度バイブレーターを掛ける方法に限定されない。
【符号の説明】
【００３９】
１２…合成床版
１２Ａ…床版面
１２Ｂ…床版下面
１３…パネル継手部
１４…底鋼板
２２…コンクリート
３０…プロジェクター
３４…格子
４０…音声記録装置
４２…マイク
４４…ヘッドホン
５０…トリガー付ハンマー
５２…ソレノイドコイル
５４…打撃球
【要約】
【課題】合成床版の底鋼板面にコンクリートが充填できているか否かを迅速に判断でき、しかも、記録性があるコンクリート打設時の充填性検査方法を提供する。
【解決手段】底鋼板１４を有する合成床版１２のコンクリート２２打設時に、底鋼板１４を、例えばトリガー付ハンマー５０で叩いて発生させた可聴域の打音または振動子（打撃球５４）で加振することにより発生させた可聴域の音である検査音を用いて充填性を検査する際に、加振位置の情報を前記検査音と同じ可聴域の音声で同じ媒体（音声記録装置４０）に記録する。
【選択図】図２【図２】
0005418712.tif 000002
【図３】
0005418712.tif 000003
【図４】
0005418712.tif 000004
【図５】
0005418712.tif 000005
【図６】
0005418712.tif 000006
【図１】
0005418712.tif 000007